(57)【要約】【課題】紹介支援装置のディスク容量等の浪費を抑制すると共に、データ管理のコストを低減する。【解決手段】紹介者により操作される端末からの被紹介者の個人情報の入力を受け付ける紹介受付手段と、紹介受付手段が受け付けた個人情報を暗号化して暗号化情報を作成する暗号化手段と、暗号化手段が作成した暗号化情報を紹介支援装置のＵＲＬに付加して紹介者により操作される端末あるいは被紹介者により操作される端末へと送信する紹介応答手段と、ＵＲＬに付加された暗号化情報を被紹介者により操作される端末から受信する登録受付手段と、登録受付手段が受信した暗号化情報を復号化して被紹介者の個人情報を復元する復号化手段と、復号化手段が復元した被紹介者の個人情報を被紹介者により操作される端末に送信して表示させる登録応答手段と、を有する。【選択図】図１
2008299396.tif 000002
【特許請求の範囲】
【請求項１】
紹介者により操作される端末及び被紹介者により操作される端末にネットワークを介して接続される紹介支援装置であって、
前記紹介者により操作される端末からの前記被紹介者の個人情報の入力を受け付ける紹介受付手段と、
前記紹介受付手段が受け付けた個人情報を暗号化して暗号化情報を作成する暗号化手段と、
前記暗号化手段が作成した暗号化情報を前記紹介支援装置のＵＲＬに付加して前記紹介者により操作される端末あるいは前記被紹介者により操作される端末へと送信する紹介応答手段と、
前記ＵＲＬに付加された暗号化情報を前記被紹介者により操作される端末から受信する登録受付手段と、
前記登録受付手段が受信した前記暗号化情報を復号化して前記被紹介者の個人情報を復元する復号化手段と、
前記復号化手段が復元した前記被紹介者の個人情報を前記被紹介者により操作される端末に送信して表示させる登録応答手段と、を有し、
前記被紹介者により操作される端末は、前記紹介者により操作される端末あるいは前記紹介支援装置から前記暗号化情報を付加したＵＲＬを受信する
ことを特徴とする紹介支援装置。
【請求項２】
前記紹介受付手段は、前記紹介者により操作される端末からの前記被紹介者の個人情報及び前記紹介者を識別する識別情報の入力を受け付け、
前記暗号化手段は、前記紹介受付手段が受け付けた前記被紹介者の個人情報及び前記紹介者の識別情報を暗号化して暗号化情報を作成し、
前記復号化手段は、前記登録受付手段が受信した前記暗号化情報を復号化して前記被紹介者の個人情報及び前記紹介者の識別情報を復元し、
前記登録応答手段は、前記復号化手段が復元した前記被紹介者の個人情報及び前記紹介者の識別情報を前記被紹介者により操作される端末に送信して表示させる
ことを特徴とする請求項１に記載の紹介支援装置。
【請求項３】
紹介者により操作される端末及び被紹介者により操作される端末にネットワークを介して接続され、コンピュータとして構成された紹介支援装置に、
前記紹介者により操作される端末からの前記被紹介者の個人情報の入力を受け付ける紹介受付手段と、
前記紹介受付手段が受け付けた個人情報を暗号化して暗号化情報を作成する暗号化手段と、
前記暗号化手段が作成した暗号化情報を前記紹介支援装置のＵＲＬに付加して前記紹介者により操作される端末あるいは前記被紹介者により操作される端末へと送信する紹介応答手段と、
前記ＵＲＬに付加された暗号化情報を前記被紹介者により操作される端末から受信する登録受付手段と、
前記登録受付手段が受信した前記暗号化情報を復号化して前記被紹介者の個人情報を復元する復号化手段と、
前記復号化手段が復元した前記被紹介者の個人情報を前記被紹介者により操作される端末に送信して表示させる登録応答手段と、を実現させ、
前記被紹介者により操作される端末は、前記紹介者により操作される端末あるいは前記紹介支援装置から前記暗号化情報を付加したＵＲＬを受信する
ことを特徴とする紹介支援装置用プログラム。
【請求項４】
紹介者により操作される端末及び被紹介者により操作される端末にネットワークを介して接続される紹介支援装置により実施される紹介支援方法であって、
前記紹介支援装置により、前記紹介者により操作される端末からの前記被紹介者の個人情報の入力を受け付けさせる紹介受付工程と、
前記紹介支援装置により、前記紹介受付工程で受け付けた個人情報を暗号化させて暗号化情報を作成させる暗号化工程と、
前記紹介支援装置により、前記暗号化工程で作成した暗号化情報を前記紹介支援装置のＵＲＬに付加させて前記紹介者により操作される端末あるいは前記被紹介者により操作される端末へと送信させる紹介応答工程と、
前記被紹介者により操作される端末により、前記紹介者により操作される端末あるいは前記紹介支援装置から前記暗号化情報を付加したＵＲＬを受信させる工程と、
前記紹介支援装置により、前記ＵＲＬに付加された暗号化情報を前記被紹介者により操作される端末から受信させる登録受付工程と、
前記紹介支援装置により、前記登録受付工程で受信した前記暗号化情報を復号化させて前記被紹介者の個人情報を復元させる復号化工程と、
前記紹介支援装置により、前記復号化工程で復元した前記被紹介者の個人情報を前記被紹介者により操作される端末に送信して表示させる登録応答工程と、を有する
ことを特徴とする紹介支援方法。
【発明の詳細な説明】
【技術分野】
【０００１】
本発明は、紹介支援装置、紹介支援装置用プログラム、及び紹介支援方法に関する。
【背景技術】
【０００２】
近年、インターネット上のサービスには、紹介者（既存のユーザ等）やサービス事業者等からの招待を受けた被紹介者（ユーザ候補者）のみが、ユーザ登録を受けることが可能な会員制のサービスが存在する。
【０００３】
このようなサービスにおけるユーザ登録は、例えば以下のように行われていた。まず、紹介者（既存のユーザ等）がインターネットに接続された端末を操作して、Ｗｅｂサーバとして構築された紹介支援装置の紹介受付ページに、被紹介者の個人情報（メールアドレス、氏名、性別等）を入力する。そして、個人情報の入力を受け付けた紹介支援装置が、被紹介者の個人情報を予め含む登録受付ページを被紹介者毎にそれぞれ作成し、そのＵＲＬを紹介者に対して通知する。そして、紹介者から被紹介者に対して、作成された登録受付ページのＵＲＬを記載した電子メールを送信することにより被紹介者を招待する。そして、電子メールを受信した（招待を受けた）被紹介者は、通知されたＵＲＬを用いて登録受付ページにアクセスして、正式なユーザ登録を受けていた。
【０００４】
すなわち、上述の方法においては、被紹介者の個人情報を含む登録受付ページを紹介支援装置が作成し、この登録受付ページに被紹介者をアクセスさせることにより、紹介者が既に入力した個人情報を被紹介者が再度入力する必要性がなくなるため、ユーザ登録の利便性が向上するというメリットがあった。
【発明の開示】
【発明が解決しようとする課題】
【０００５】
しかしながら、被紹介者に対する招待は、被紹介者の意思によらず紹介者（既存のユーザ等）によって一方的に行われる。そのため、招待を受けた被紹介者が、実際にはユーザ登録を行わない（受けない）場合があり、紹介支援装置が作成した登録受付ページ（あるいは登録受付ページを動的に作成するためのデータ）が使用（アクセス）されない場合がある。したがって、このように使用されない可能性のある登録受付ページを、紹介支援装置にて作成して管理するとなると、ディスク容量等の浪費が問題となる。
【０００６】
また、登録受付ページには被紹介者の個人情報がデータとして含まれている。このような個人情報は、漏洩のないように厳重に管理する必要がある。したがって、使用されない可能性のある登録受付ページを、紹介支援装置にて作成して管理するとなると、セキュリティ等の観点からデータ管理のコスト増大が問題となる。
【０００７】
そこで本発明にかかる紹介支援装置、紹介支援装置用プログラム、及び紹介支援方法は、紹介支援装置のディスク容量等の浪費を抑制させると共に、データ管理のコストを低減させることを目的とする。
【課題を解決するための手段】
【０００８】
本発明の第１の態様は、紹介者により操作される端末及び被紹介者により操作される端末にネットワークを介して接続される紹介支援装置であって、前記紹介者により操作される端末からの前記被紹介者の個人情報の入力を受け付ける紹介受付手段と、前記紹介受付手段が受け付けた個人情報を暗号化して暗号化情報を作成する暗号化手段と、前記暗号化手段が作成した暗号化情報を前記紹介支援装置のＵＲＬに付加して前記紹介者により操作
される端末あるいは前記被紹介者により操作される端末へと送信する紹介応答手段と、前記ＵＲＬに付加された暗号化情報を前記被紹介者により操作される端末から受信する登録受付手段と、前記登録受付手段が受信した前記暗号化情報を復号化して前記被紹介者の個人情報を復元する復号化手段と、前記復号化手段が復元した前記被紹介者の個人情報を前記被紹介者により操作される端末に送信して表示させる登録応答手段と、を有し、前記被紹介者により操作される端末は、前記紹介者により操作される端末あるいは前記紹介支援装置から前記暗号化情報を付加したＵＲＬを受信する紹介支援装置である。
【０００９】
本発明の第２の態様は、前記紹介受付手段は、前記紹介者により操作される端末からの前記被紹介者の個人情報及び前記紹介者を識別する識別情報の入力を受け付け、前記暗号化手段は、前記紹介受付手段が受け付けた前記被紹介者の個人情報及び前記紹介者の識別情報を暗号化して暗号化情報を作成し、前記復号化手段は、前記登録受付手段が受信した前記暗号化情報を復号化して前記被紹介者の個人情報及び前記紹介者の識別情報を復元し、前記登録応答手段は、前記復号化手段が復元した前記被紹介者の個人情報及び前記紹介者の識別情報を前記被紹介者により操作される端末に送信して表示させる第１の態様に記載の紹介支援装置である。
【００１０】
本発明の第３の態様は、紹介者により操作される端末及び被紹介者により操作される端末にネットワークを介して接続され、コンピュータとして構成された紹介支援装置に、前記紹介者により操作される端末からの前記被紹介者の個人情報の入力を受け付ける紹介受付手段と、前記紹介受付手段が受け付けた個人情報を暗号化して暗号化情報を作成する暗号化手段と、前記暗号化手段が作成した暗号化情報を前記紹介支援装置のＵＲＬに付加して前記紹介者により操作される端末あるいは前記被紹介者により操作される端末へと送信する紹介応答手段と、前記ＵＲＬに付加された暗号化情報を前記被紹介者により操作される端末から受信する登録受付手段と、前記登録受付手段が受信した前記暗号化情報を復号化して前記被紹介者の個人情報を復元する復号化手段と、前記復号化手段が復元した前記被紹介者の個人情報を前記被紹介者により操作される端末に送信して表示させる登録応答手段と、を実現させ、前記被紹介者により操作される端末は、前記紹介者により操作される端末あるいは前記紹介支援装置から前記暗号化情報を付加したＵＲＬを受信する紹介支援装置用プログラムである。
【００１１】
本発明の第４の態様は、紹介者により操作される端末及び被紹介者により操作される端末にネットワークを介して接続される紹介支援装置により実施される紹介支援方法であって、前記紹介支援装置により、前記紹介者により操作される端末からの前記被紹介者の個人情報の入力を受け付けさせる紹介受付工程と、前記紹介支援装置により、前記紹介受付工程で受け付けた個人情報を暗号化させて暗号化情報を作成させる暗号化工程と、前記紹介支援装置により、前記暗号化工程で作成した暗号化情報を前記紹介支援装置のＵＲＬに付加させて前記紹介者により操作される端末あるいは前記被紹介者により操作される端末へと送信させる紹介応答工程と、前記被紹介者により操作される端末により、前記紹介者により操作される端末あるいは前記紹介支援装置から前記暗号化情報を付加したＵＲＬを受信させる工程と、前記紹介支援装置により、前記ＵＲＬに付加された暗号化情報を前記被紹介者により操作される端末から受信させる登録受付工程と、前記紹介支援装置により、前記登録受付工程で受信した前記暗号化情報を復号化させて前記被紹介者の個人情報を復元させる復号化工程と、前記紹介支援装置により、前記復号化工程で復元した前記被紹介者の個人情報を前記被紹介者により操作される端末に送信して表示させる登録応答工程と、を有する紹介支援方法である。
【発明の効果】
【００１２】
本発明にかかる紹介支援装置、紹介支援装置用プログラム、及び紹介支援方法によれば、紹介支援装置のディスク容量等の浪費を抑制させると共に、データ管理のコストを低減
させることが可能となる。
【発明を実施するための最良の形態】
【００１３】
＜本発明の一実施形態＞
（１）紹介支援装置の構成
以下に、本発明の一実施形態にかかる紹介支援装置の構成について、図面を参照しながら説明する。図１は、本発明の一実施形態にかかる紹介支援装置を含む紹介支援システムの概略構成図である。また、図２は、本発明の一実施形態にかかる紹介支援装置の概略構成図である。
【００１４】
図１に示すとおり、本実施形態にかかる紹介支援システムは、紹介支援装置１０を有している。紹介支援装置１０は、インターネット等のネットワーク２０を介して、紹介者により操作される少なくとも１台以上の端末３０ａと、被紹介者により操作される少なくとも１台以上の端末３０ｂと、にそれぞれ接続されている。なお、ネットワーク２０としては、携帯電話網、公衆電話網、あるいは専用線通信網のいずれの網を用いてもよい。また、端末３０ａ及び端末３０ｂは、ＣＲＴやＦＰＤなどの表示装置とＷｅｂブラウザとを備えたパーソナルコンピュータや携帯電話機として構成されている。
【００１５】
紹介支援装置１０は、図２に示すとおり、ＣＰＵ（中央演算処理装置）１１ａ、一次記憶装置としてのＲＡＭ（ランダムアクセスメモリ）１１ｂ、外部記憶装置としてのＨＤＤ１１ｃ、及び通信ポート１１ｄを備えたコンピュータとして構成されている。通信ポート１１ｄは、ネットワーク２０を介して端末３０ａと端末３０ｂとに接続されている。
【００１６】
ＨＤＤ１１ｃには、紹介支援装置用プログラム（図示しない）が格納されている。紹介支援装置用プログラムは、ＨＤＤ１１ｃからＲＡＭ１１ｂへと読み出され、ＣＰＵ１１ａにより実行されるように構成されている。紹介支援装置用プログラムは、コンピュータとして構成された紹介支援装置１０に、後述する紹介受付手段１２、暗号化手段１３、紹介応答手段１４、登録受付手段１５、復号化手段１６、及び登録応答手段１７をそれぞれ実現するように構成されている。
【００１７】
なお、紹介支援装置１０は、Ｗｅｂサーバとして構成されており、紹介支援装置１０と端末３０ａ及び端末３０ｂとの間では、それぞれＨＴＴＰ等によるデータ通信やＳＭＴＰやＰＯＰ３等によるメール交換が可能なように構成されている。また、紹介支援装置１０には、ネットワーク２０内において紹介支援装置１０（あるいは紹介支援装置１０が提供するホームページ）を識別する（特定する）アドレス情報としてＵＲＬが割り当てられている。ＵＲＬは、ＨＤＤ１１ｃ内の設定ファイルに記録されている。
【００１８】
＜紹介受付手段＞
まず、紹介支援装置１０に実現される紹介受付手段１２について説明する。紹介受付手段１２は、紹介者により操作される端末３０ａからの被紹介者の個人情報の入力を受け付けるように構成されている。
【００１９】
具体的には、紹介受付手段１２は、紹介者により操作される端末３０ａからの紹介要求を、通信ポート１１ｄを介して受信してＲＡＭ１１ｂに保持するように構成されている。
【００２０】
また、紹介受付手段１２は、端末３０ａから紹介要求を受信したら、端末３０ａに対して紹介受付ページを表示させるように構成されている。すなわち、被紹介者の個人情報（メールアドレス、氏名、性別、年齢など）を紹介者が入力することが出来るようなフォーム（例えばＨＴＭＬなどで記載された電子データ）を、通信ポート１１ｄを介して端末３０ａに送信するように構成されている。
【００２１】
そして、端末３０ａから個人情報の入力があったら、紹介受付手段１２は、入力された個人情報を通信ポート１１ｄを介して端末３０ａから受信してＲＡＭ１１ｂに保持するように構成されている。
【００２２】
＜暗号化手段＞
続いて、紹介支援装置１０に実現される暗号化手段１３について説明する。暗号化手段１３は、紹介受付手段１２が受け付けた個人情報を暗号化して暗号化情報を作成するように構成されている。
【００２３】
具体的には、暗号化手段１３は、紹介受付手段１２がＲＡＭ１１ｂに保持している個人情報を読み出して暗号化し、作成した暗号化情報をＲＡＭ１１ｂに保持するように構成されている。なお、暗号化は、ＤＥＳ、トリプルＤＥＳ、ＡＥＳなどの標準化された暗号化方法を用いてもよいし、その他独自の暗号化手段を用いることが出来るように構成されている。なお、暗号化に暗号カギを用いる場合には、暗号化手段１３は、使用した暗号カギをＨＤＤ１１ｃに記録するように構成されている。かかる暗号カギは、後述する復号化手段１６が暗号化情報を復元する際にＨＤＤ１１ｃから読み出して使用することが出来るように構成されている。
【００２４】
＜紹介応答手段＞
続いて、紹介支援装置１０に実現される紹介応答手段１４について説明する。紹介応答手段１４は、暗号化手段１３が作成した暗号化情報を、紹介支援装置１０のＵＲＬに付加して紹介者により操作される端末３０ａあるいは被紹介者により操作される端末３０ｂへと送信するように構成されている。
【００２５】
具体的には、紹介応答手段１４は、暗号化手段１３がＲＡＭ１１ｂに保持している暗号化情報を読み出すとともに、紹介支援装置１０のＵＲＬをＨＤＤ１１ｃから読み出した後、ＵＲＬに暗号化情報を付加して「暗号化情報を付加したＵＲＬ」を作成するように構成されている。なお、紹介応答手段１４は、暗号化情報を、ＵＲＬのパラメータ（Ｇｅｔパラメータ等）としてＵＲＬの末尾に付加するように構成されている。
【００２６】
そして、紹介応答手段１４は、「暗号化情報を付加したＵＲＬ」を、通信ポート１１ｄを介して端末３０ａへと送信するように構成されている。この際、紹介応答手段１４は、「暗号化情報を付加したＵＲＬ」を、ネットワーク２０を介して送信可能な形に符号化（エンコード）するように構成されている。例えば、「暗号化情報を付加したＵＲＬ」を、ＵＲＬエンコードやＢａｓｅ６４エンコード等により符号化するように構成されている。そして、紹介応答手段１４は、ＵＲＬエンコードされた「暗号化情報を付加したＵＲＬ」を記載したＷｅｂページを端末３０ａに表示させたり（すなわちＨＴＴＰにより送信したり）、Ｂａｓｅ６４エンコードされた「暗号化情報を付加したＵＲＬ」を記載した電子メールを端末３０ａあるいは端末３０ｂに送信したり（すなわちＳＭＴＰにより送信したり）するように構成されている。
【００２７】
そして、紹介応答手段１４は、「暗号化情報を付加したＵＲＬ」の送信が完了したら、ＲＡＭ１１ｂに保持している「個人情報」及び「暗号化情報を付加したＵＲＬ」を消去するように構成されている。また、「個人情報」あるいは「暗号化情報を付加したＵＲＬ」をＨＤＤ１１ｃに一時的に記録していた場合には、これらを消去するように構成されている。
【００２８】
また、紹介応答手段１４は、被紹介者の個人情報を含む登録受付ページを作成しないように構成されている。被紹介者の個人情報を含む登録受付ページは、後述するとおり、被
紹介者（端末３０ｂ）からのアクセスを受けたら、紹介応答手段１４が動的に作成するためである。
【００２９】
なお、「暗号化情報を付加したＵＲＬ」を受信した端末３０ａは、「暗号化情報を付加したＵＲＬ」を記載した電子メールを、被紹介者により操作される端末３０ｂに対して送信するように構成されている。なお、上述したとおり、紹介支援装置１０も、「暗号化情報を付加したＵＲＬ」を記載した電子メールを端末３０ｂへと送信することが出来るように構成されている。端末３０ｂへと送信する際には、紹介応答手段１４は、「暗号化情報を付加したＵＲＬ」を端末３０ａへ送信しないように構成されていてもよい。そして、被紹介者により操作される端末３０ｂは、ＵＲＬで指定される紹介支援装置１０にアクセスする際に、ＵＲＬに付加された暗号化情報を紹介支援装置１０へと送信するように構成されている。
【００３０】
＜登録受付手段＞
続いて、紹介支援装置１０に実現される登録受付手段１５について説明する。登録受付手段１５は、ＵＲＬに付加された暗号化情報を、被紹介者により操作される端末３０ｂから受信するように構成されている。具体的には、登録受付手段１５は、ＵＲＬに付加された暗号化情報を、通信ポート１１ｄを介して端末３０ｂから受信してＲＡＭ１１ｂに保持するように構成されている。
【００３１】
＜復号化手段＞
続いて、紹介支援装置１０に実現される復号化手段１６について説明する。復号化手段１６は、登録受付手段１５が受信した暗号化情報を復号化して被紹介者の個人情報を復元するように構成されている。具体的には、復号化手段１６は、登録受付手段１５がＲＡＭ１１ｂに保持している暗号化情報を読み出し、暗号化情報を復号化して被紹介者の個人情報を復元して、ＲＡＭ１１ｂに保持するように構成されている。
【００３２】
＜登録応答手段＞
続いて、紹介支援装置１０に実現される登録応答手段１７について説明する。登録応答手段１７は、復号化手段１６が復元した被紹介者の個人情報を、被紹介者により操作される端末３０ｂに送信して表示させるように構成されている。具体的には、登録応答手段１７は、復号化手段１６がＲＡＭ１１ｂに保持している被紹介者の個人情報を読み出すとともに、読み出した個人情報をブランク欄に予め挿入した（書き込んだ）登録受付ページ（ＨＴＭＬで記載された電子データ）を動的に作成してＲＡＭ１１ｂに保持するように構成されている。そして、登録応答手段１７は、動的に作成した登録受付ページを通信ポート１１ｄを介して端末３０ｂに送信するように構成されている。
【００３３】
なお、被紹介者の個人情報を受信した端末３０ｂでは、個人情報が予め入力された登録受付ページを、表示装置に表示させるように構成されている。すなわち、登録受付ページを開いた被紹介者が、自らの個人情報を再入力する必要がないように構成されている。
【００３４】
そして、被紹介者が端末３０ｂを操作して登録受付ページに「登録を実行する」旨を入力すると、登録応答手段１７は、被紹介者の個人情報をＨＤＤ１１ｃに記録するように構成されている。一方、被紹介者が登録受付ページに対して「登録しない」旨を選択したり、「登録を実行する」旨を入力しないまま端末３０ｂと紹介支援装置１０とのセッションを終了させたら、登録応答手段１７は、動的に作成した登録受付ページと、個人情報及び暗号化情報と、ＲＡＭ１１ｂから消去するように構成されている。また、登録受付ページ、個人情報、暗号化情報をＨＤＤ１１ｃに一時的に記録していた場合には、これらを消去するように構成されている。すなわち、被紹介者が登録受付ページに対して「登録を希望する」旨を入力する迄は、被紹介者の個人情報は紹介支援装置１０には記録しないように
構成されている。
【００３５】
（２）紹介支援方法
続いて、本発明の一実施形態にかかる紹介支援方法について、図３を用いて説明する。図３は、本発明の一実施形態にかかる紹介支援装置の動作を例示する概略図である。なお、本実施形態にかかる紹介支援方法は、上述した紹介支援装置１０によって実施される。
【００３６】
＜紹介受付工程＞
まず、紹介支援装置１０により、紹介者により操作される端末３０ａからの被紹介者の個人情報の入力を受け付けさせる。
【００３７】
具体的には、紹介受付手段１２により、紹介者により操作される端末３０ａからの紹介要求を、通信ポート１１ｄを介して受信させてＲＡＭ１１ｂに保持させる（Ｓ１）。
【００３８】
そして、紹介受付手段１２により、端末３０ａに対して紹介受付ページを表示させる（Ｓ２）。すなわち、被紹介者の個人情報（メールアドレス、氏名、性別、年齢など）を紹介者が入力することが出来るようなフォーム（例えばＨＴＭＬなどで記載された電子データ）を、通信ポート１１ｄを介して端末３０ａに送信させる。
【００３９】
そして、端末３０ａから個人情報の入力があったら、紹介受付手段１２により、入力された個人情報を、通信ポート１１ｄを介して端末３０ａから受信させてＲＡＭ１１ｂに保持させる（Ｓ３）。
【００４０】
＜暗号化工程＞
続いて、紹介支援装置１０により、紹介受付工程（Ｓ１〜Ｓ３）で受け付けた個人情報を暗号化させて暗号化情報を作成させる（Ｓ４）。
【００４１】
具体的には、暗号化手段１３により、紹介受付手段１２がＲＡＭ１１ｂに保持している個人情報を読み出させて暗号化させ、作成した暗号化情報をＲＡＭ１１ｂに保持させる。なお、暗号化に暗号カギを用いる場合には、暗号化手段１３により、使用した暗号カギをＨＤＤ１１ｃに記録させる。
【００４２】
＜紹介応答工程＞
続いて、紹介支援装置１０により、暗号化工程（Ｓ４）で作成した暗号化情報を紹介支援装置１０のＵＲＬに付加させて紹介者により操作される端末３０ａへと送信させる（Ｓ５）。なお、上述したとおり、紹介支援装置１０により、「暗号化情報を付加したＵＲＬ」を記載した電子メールを端末３０ｂへと送信させてもよい。端末３０ｂへと送信する際には、紹介応答手段１４は、「暗号化情報を付加したＵＲＬ」を端末３０ａへ送信しなくてもよい。
【００４３】
具体的には、紹介応答手段１４により、暗号化手段１３がＲＡＭ１１ｂに保持している暗号化情報を読み出させるとともに、紹介支援装置１０のＵＲＬをＨＤＤ１１ｃから読み出させた後、ＵＲＬに暗号化情報を付加させて「暗号化情報を付加したＵＲＬ」を作成させる。なお、紹介応答手段１４により、暗号化情報を、ＵＲＬのパラメータ（Ｇｅｔパラメータ等）としてＵＲＬの末尾に付加させる。
【００４４】
そして、紹介応答手段１４により、「暗号化情報を付加したＵＲＬ」を、通信ポート１１ｄを介して端末３０ａへと送信させる。この際、紹介応答手段１４により、「暗号化情報を付加したＵＲＬ」を、ネットワーク２０を介して送信可能な形に符号化（エンコード）させる。例えば、「暗号化情報を付加したＵＲＬ」を、ＵＲＬエンコードやＢａｓｅ６
４エンコード等により符号化させる。そして、紹介応答手段１４により、ＵＲＬエンコードされた「暗号化情報を付加したＵＲＬ」を記載したＷｅｂページを端末３０ａに表示させたり（すなわちＨＴＴＰにより送信させたり）、Ｂａｓｅ６４エンコードされた「暗号化情報を付加したＵＲＬ」を記載した電子メールを端末３０ａや端末３０ｂへと送信させる（すなわちＳＭＴＰにより送信させる）。
【００４５】
そして、紹介応答手段１４により、ＲＡＭ１１ｂに保持している「個人情報」及び「暗号化情報を付加したＵＲＬ」を消去させる。また、「個人情報」あるいは「暗号化情報を付加したＵＲＬ」をＨＤＤ１１ｃに一時的に記録していた場合には、これらを削除させる。
【００４６】
なお、紹介応答工程（Ｓ５）では、被紹介者の個人情報を含む登録受付ページを作成しない。被紹介者の個人情報を含む登録受付ページは、後述するとおり、被紹介者（端末３０ｂ）からのアクセスを受けた場合に、登録応答工程（Ｓ９）にて動的に作成するためである。
【００４７】
＜ＵＲＬの受信工程＞
続いて、暗号化情報を付加したＵＲＬを記載した電子メールを、紹介者により操作される端末３０ａから被紹介者により操作される端末３０ｂへと送信させる。あるいは、暗号化情報を付加したＵＲＬを記載した電子メールを、紹介支援装置１０から端末３０ｂへと送信させる。そして、被紹介者により操作される端末３０ｂにより、ＵＲＬに付加された暗号化情報を受信させる（Ｓ６，Ｓ６’）。なお、被紹介者により操作される端末３０ｂにより、ＵＲＬで指定される紹介支援装置１０にアクセスする際に、ＵＲＬに付加された暗号化情報を紹介支援装置１０へと送信させる。
【００４８】
＜登録受付工程＞
続いて、紹介支援装置１０により、ＵＲＬに付加された暗号化情報を被紹介者により操作される端末３０ｂから受信させる（Ｓ７）。具体的には、登録受付手段１５により、ＵＲＬに付加された暗号化情報を、通信ポート１１ｄを介して端末３０ｂから受信させてＲＡＭ１１ｂに保持させる。
【００４９】
＜復号化工程＞
続いて、紹介支援装置１０により、前記登録受付工程で受信した前記暗号化情報を復号化させて前記被紹介者の個人情報を復元させる（Ｓ８）。具体的には、復号化手段１６により、登録受付手段１５がＲＡＭ１１ｂに保持している暗号化情報を読み出させ、暗号化情報を復号化させて被紹介者の個人情報を復元させ、ＲＡＭ１１ｂに保持させる。
【００５０】
＜登録応答工程＞
続いて、紹介支援装置１０により、復号化工程（Ｓ８）で復元した被紹介者の個人情報を被紹介者により操作される端末３０ｂに送信して表示させる（Ｓ９）。具体的には、登録応答手段１７により、復号化手段１６がＲＡＭ１１ｂに保持している被紹介者の個人情報を読み出させるとともに、読み出した個人情報をブランク欄に予め挿入した（書き込んだ）登録受付ページ（ＨＴＭＬで記載された電子データ）を動的に作成させてＲＡＭ１１ｂに保持させる。そして、登録応答手段１７により、動的に作成した登録受付ページを通信ポート１１ｄを介して端末３０ｂに送信させる（Ｓ９）。
【００５１】
そして、被紹介者の個人情報を受信した端末３０ｂにより、個人情報が予め入力された登録受付ページを、表示装置に表示させる。これにより、登録受付ページを開いた被紹介者は、自らの個人情報を再入力する必要がなくなる。
【００５２】
そして、被紹介者が端末３０ｂを操作して登録受付ページに「登録を実行する」旨を入力したら（Ｓ１０）、登録応答手段１７により、被紹介者の個人情報をＨＤＤ１１ｃに記録させる（Ｓ１１）。一方、被紹介者が登録受付ページに対して「登録しない」旨を選択したり、「登録を実行する」旨を入力しないまま端末３０ｂと紹介支援装置１０とのセッションを終了させたら、登録応答手段１７により、動的に作成した登録受付ページと、個人情報及び暗号化情報とをＲＡＭ１１ｂから消去させる。また、登録受付ページ、個人情報、及び暗号化情報をＨＤＤ１１ｃに一時的に記録していた場合には、これらを削除させる。すなわち、被紹介者が登録受付ページに対して「登録を希望する」旨を入力する迄は、被紹介者の個人情報は紹介支援装置１０には一切記録しないように構成されている。
【００５３】
（３）本実施形態にかかる効果
本実施形態によれば、以下の（ａ）〜（ｃ）の効果を奏する。
【００５４】
（ａ）本実施形態にかかる紹介支援装置１０は、被紹介者（端末３０ｂ）からのアクセスを受けたら、端末３０ｂから暗号化情報を受信して復号化し、復元した個人情報をブランク欄に予め挿入した登録受付ページを動的に作成して、端末３０ｂの表示装置に表示させるように構成されている。すなわち、登録受付ページを開いた被紹介者が、紹介者が既に入力した個人情報を再入力する必要がないように構成されている。したがって、ユーザ登録に際して被紹介者の操作を簡素化させて利便性を向上させるとともに、サービス事業者はユーザ拡大を図ることが可能となる。
【００５５】
（ｂ）また、本実施形態にかかる紹介支援装置１０（録応答手段１７）は、暗号化手段１３が作成した暗号化情報をＵＲＬに付加して端末３０ａへと送信し、その送信が完了したらＲＡＭ１１ｂに保持している「個人情報」及び「暗号化情報を付加したＵＲＬ」を消去するよう構成されている。また、「個人情報」あるいは「暗号化情報を付加したＵＲＬ」をＨＤＤ１１ｃに一時的に記録していた場合には、これらを消去するよう構成されている。
また、本実施形態にかかる紹介支援装置１０（録応答手段１７）、被紹介者（端末３０ｂ）からのアクセスを受けたら、個人情報を含む登録受付ページを動的に作成するが、被紹介者が登録受付ページに対して「登録を実行する」旨を入力しないまま端末３０ｂと紹介支援装置１０とのセッションを終了させたら、登録応答手段１７は、ＲＡＭ１１ｂに保持している個人情報及び暗号化情報と、動的に作成した登録受付ページとを消去するよう構成されている。さらに、個人情報あるいは暗号化情報をＨＤＤ１１ｃに一時的に記録していた場合にはこれらを消去するよう構成されている。したがって、本実施形態によれば、使用されない可能性のある登録受付ページを紹介支援装置１０にて作成して管理する必要がなく、ディスク容量等の浪費を低減させることが可能となる。
【００５６】
（ｃ）また、上述のように構成されていることから、本実施形態にかかる紹介支援装置１０では、使用されない可能性のある個人情報を管理する必要がなくなり、データ管理のコストを低減させることが可能となる。また、本実施形態にかかる紹介支援装置１０においては、登録の意思を有する被紹介者の個人情報のみが記録され、登録の意思を有さない被紹介者の個人情報は記録されない。そのため、登録の意思を有さない被紹介者については、個人情報の漏洩の可能性をより排除することが可能となり、個人情報の管理に関する安全性をより高めることが可能となる。
【００５７】
＜本発明の他の実施形態＞
紹介受付手段１２は、被紹介者の個人情報の入力を受け付けていたが、本発明の実施形態は上記に限定されない。たとえば、紹介受付手段１２は、紹介者により操作される端末３０ａからの被紹介者の個人情報及び紹介者を識別する識別情報を受け付け、暗号化手段１３は、紹介受付手段１２が受け付けた被紹介者の個人情報及び紹介者の識別情報を暗号
化して暗号化情報を作成し、復号化手段１６は、登録受付手段が受信した暗号化情報を復号化して被紹介者の個人情報及び紹介者の識別情報を復元し、登録応答手段１７は、復号化手段１６が復元した被紹介者の個人情報及び紹介者の識別情報を被紹介者により操作される端末３０ｂに送信して表示させるように構成されていてもよい。
【００５８】
本実施形態によれば、以下の（ａ）〜（ｃ）に加えて、以下の効果を奏する。すなわち、被紹介者の個人情報を受信した端末３０ｂの表示装置には、個人情報が予め入力されているとともに、紹介者を識別する識別情報が表示された登録受付ページが表示されているため、被紹介者は、登録受付ページを開くことで紹介者の識別情報を入手することが可能となる。
【００５９】
以上、本発明のいくつかの実施形態について説明したが、本発明は上述の形態に限定されず、当業者にとって自明な範囲で適宜変更することが可能である。
【図面の簡単な説明】
【００６０】
【図１】本発明の一実施形態にかかる紹介支援装置を含む紹介支援システムの概略構成図である。
【図２】本発明の一実施形態にかかる紹介支援装置の概略構成図である。
【図３】本発明の一実施形態にかかる紹介支援装置の動作を例示する概略図である。
【符号の説明】
【００６１】
１０    紹介支援装置
１２    紹介受付手段
１３    暗号化手段
１４    紹介応答手段
１５    登録受付手段
１６    復号化手段
１７    登録応答手段
２０    ネットワーク
３０ａ  紹介者に操作される端末
３０ｂ  被紹介者に操作される端末
【図１】
2008299396.tif 000003
【図２】
2008299396.tif 000004
【図３】
2008299396.tif 000005